(57)【要約】  【課題】  湿った毛髪のセットを迅速且つ快適に行うことができる電熱式ヘアーアイロンを提供する。  【解決手段】  開閉自在に連結された一対の支持部材１０，２０と、一対の支持部材１０，２０に互いに対向するように設けられて毛髪を挟持する一対の挟持部３０，４０と、一対の挟持部３０，４０を通電により加熱する加熱部５０，６０とを備え、一方の挟持部３０は、他方の挟持部４０と対向する位置に開口する吸引流路３１が形成されており、吸引流路３１に接続された吸引装置５０の作動により、一対の挟持部３０，４０間を吸引可能に構成されている電熱式ヘアーアイロン１。【選択図】  図１
2019213793.tif 000002
【特許請求の範囲】
【請求項１】
開閉自在に連結された一対の支持部材と、
一対の前記支持部材に互いに対向するように設けられて毛髪を挟持する一対の挟持部と、
一対の前記挟持部を通電により加熱する加熱部とを備え、
一方の前記挟持部は、他方の前記挟持部と対向する位置に開口する吸引流路が形成されており、前記吸引流路に接続された吸引装置の作動により、一対の前記挟持部間を吸引可能に構成されている電熱式ヘアーアイロン。
【請求項２】
一対の前記挟持部は、互いに間隔をあけて配置された第１当接部および第２当接部をそれぞれ備え、前記第１当接部同士および前記第２当接部同士が当接するように構成されており、
前記吸引流路は、前記第１当接部と前記第２当接部との間に開口する請求項１に記載の電熱式ヘアーアイロン。
【請求項３】
前記第１当接部および前記第２当接部は、それぞれが一定の断面形状で互いに平行に延びるように平面視帯状に形成されており、
前記第１当接部の表面が平面状に形成され、前記第２当接部の表面が曲面状に形成されている請求項２に記載の電熱式ヘアーアイロン。
【発明の詳細な説明】
【技術分野】
【０００１】
本発明は、電熱式ヘアーアイロンに関する。
に関する。
【背景技術】
【０００２】
従来の電熱式ヘアーアイロンとして、特許文献１には、プレート内に電熱体が収容された加熱プレートが、一対の持ち手の裏面における対向位置にそれぞれ設けられた構成が開示されている。一方の持ち手の加熱プレートには、持ち手の表面に連通する蒸気抜き用のスリットが設けられており、濡れた髪の毛を加熱して発生する蒸気が、このスリットから外部に排出される。
【先行技術文献】
【特許文献】
【０００３】
【特許文献１】登録実用新案第３１６４９９８号公報
【発明の概要】
【発明が解決しようとする課題】
【０００４】
ところが、上記従来のヘアーアイロンは、タオルドライ後等の湿った毛髪から比較的多量の蒸気が発生する場合、蒸気がスリットから十分抜けずに一対の持ち手の間から周辺に噴出するおそれがあった。このため、毛髪の付け根部分に使用すると、噴出した高温の蒸気が頭皮に直接接触して、被施術者に不快感を与えるおそれがあった。
【０００５】
そこで、本発明は、湿った毛髪のセットを迅速且つ快適に行うことができる電熱式ヘアーアイロンの提供を目的とする。
【課題を解決するための手段】
【０００６】
本発明の前記目的は、開閉自在に連結された一対の支持部材と、一対の前記支持部材に互いに対向するように設けられて毛髪を挟持する一対の挟持部と、一対の前記挟持部を通電により加熱する加熱部とを備え、一方の前記挟持部は、他方の前記挟持部と対向する位置に開口する吸引流路が形成されており、前記吸引流路に接続された吸引装置の作動により、一対の前記挟持部間を吸引可能に構成されている電熱式ヘアーアイロンにより達成される。
【０００７】
この電熱式ヘアーアイロンにおいて、一対の前記挟持部は、互いに間隔をあけて配置された第１当接部および第２当接部をそれぞれ備え、前記第１当接部同士および前記第２当接部同士が当接するように構成されていることが好ましく、前記吸引流路は、前記第１当接部と前記第２当接部との間に開口することが好ましい。
【０００８】
前記第１当接部および前記第２当接部は、それぞれが一定の断面形状で互いに平行に延びるように平面視帯状に形成されていることが好ましく、前記第１当接部の表面が平面状に形成され、前記第２当接部の表面が曲面状に形成されていることが好ましい。
【発明の効果】
【０００９】
本発明によれば、湿った毛髪のセットを迅速且つ快適に行うことができる電熱式ヘアーアイロンを提供することができる。
【図面の簡単な説明】
【００１０】
【図１】本発明の一実施形態に係る電熱式ヘアーアイロンの正面図である。
【図２】図１のＡ−Ａ断面図である。
【図３】図２に示す挟持部を矢示Ｂ方向に見た図である。
【図４】図１のＣ−Ｃ断面図である。
【図５】図４に示す挟持部を矢示Ｄ方向に見た図である。
【図６】本発明の一実施形態に係る電熱式ヘアーアイロンの使用状態を示す断面図である。
【発明を実施するための形態】
【００１１】
以下、本発明の実施の形態について、添付図面を参照して説明する。図１は、本発明の一実施形態に係る電熱式ヘアーアイロンの正面図である。図１に示すように、電熱式ヘアーアイロン１は、一対の支持部材１０，２０の基端側が回動軸２により回動可能に連結されて構成されている。一対の支持部材１０，２０は、回動軸２に装着されたねじりばね（図示せず）によって、先端側が図１に示す開いた状態になるように付勢されている。
【００１２】
一対の支持部材１０，２０は、ねじりばねの付勢力に抗して矢示方向に回動させることにより先端側を閉じることができ、この先端側には、一対の挟持部３０，４０が互いに対向するようにそれぞれ設けられている。一方の挟持部３０の内部には、吸引流路３１が形成されている。吸引流路３１の先端側は、複数の開口部３２により他方の挟持部４０と対向する位置に開口する一方、吸引流路３１の基端側は、一方の支持部材１０に形成された中継流路１１の先端に接続されている。中継流路１１の基端には接続ポート１２が設けられており、吸引装置５０の配管５１が接続ポート１２に接続される。吸引装置５０は、ファン５２の作動により吸引流路３１の開口部３２から蒸気等を吸引して、排出口５３から外部に排出することができる。
【００１３】
図２は、図１のＡ−Ａ断面図であり、図３は、図２に示す一方の挟持部３０を矢示Ｂ方向に見た図である。図２および図３に示すように、一方の挟持部３０は、平面視矩形状に形成されたブロック状の部材であり、裏面側が支持部材１０に嵌合して支持されている。一方の挟持部３０の裏面には、板状のセラミックヒータからなる加熱部６０が密着固定されている。加熱部６０は、通電による発熱可能なものであればよく、他の電熱ヒータを使用してもよい。挟持部３０は、アルミニウム合金等の熱伝導性や耐食性に優れる金属材料により形成することが好ましい。
【００１４】
一方の挟持部３０の表面側には、第１当接部３５および第２当接部３６が互いに間隔をあけて設けられている。第１当接部３５および第２当接部３６は、図２に示す一定の断面形状で、互いに平行に延びるように平面視帯状に形成されている。第１当接部３５は、表面が平面状に形成されている一方、第２当接部３６は、表面が断面円弧状に膨出する曲面状に形成されている。第１当接部３５および第２当接部３６の長手方向両端部は、それぞれ連結部３８，３９によって連結されており、第１当接部３５、第２当接部３６および連結部３８，３９により囲まれて、挟持部３０の長手方向に延びる凹部３７が形成されている。第１当接部３５、第２当接部３６および連結部３８，３９は、例えば切削加工により一体的に成形することができる。
【００１５】
吸引流路３１は、一方の挟持部３０の内部を凹部３７の長手方向に延びるように形成されており、凹部３７の底面に等間隔に形成された複数の開口部３２に連通している。吸引流路３１の両側には挿通路３３，３４が形成されている。挿通路３３，３４には、加熱部６０に通電するための電線（図示せず）が挿通され、外部の電源（図示せず）から加熱部６０に電力を供給することができる。
【００１６】
図４は、図１のＣ−Ｃ断面図であり、図５は、図４に示す他方の挟持部４０を矢示Ｄ方向に見た図である。図４および図５に示すように、他方の挟持部４０は、一方の挟持部３０に形成された吸引路３１および開口部３２を備えていない他は、一方の挟持部３０と同様の構成を備えるものであり、内部に挿通路４３，４４が形成されている。他方の挟持部４０の表面側には、互いに間隔をあけて第１当接部４５および第２当接部４６が設けられている。第１当接部４５および第２当接部４６の長手方向両端部は、それぞれ連結部４８，４９によって連結されており、第１当接部４５、第２当接部４６および連結部４８，４９により囲まれて、他方の挟持部４０の長手方向に延びる凹部４７が形成されている。一対の挟持部３０，４０の連結部３８，３９，４８，４９の高さは、第１当接部３５，４５同士、および、第２当接部３６，４６同士が確実に当接するように、これらの高さと同程度か若干低いことが好ましい。
【００１７】
他方の挟持部４０の裏面には、加熱部７０が密着固定されている。本実施形態の電熱式ヘアーアイロン１は、一対の挟持部３０，４０の双方に対応させて加熱部６０，７０を設けているが、加熱部は単一であってもよく、挟持部３０，４０の一方を介して他方に伝熱されるように、加熱部を配置してもよい。
【００１８】
上記の構成を備える電熱式ヘアーアイロン１は、図６に示すように、開閉自在に連結された一対の支持部材１０，２０を閉じることにより、タオルドライ後等の湿った毛髪Ｈを一対の挟持部３０，４０の間に挟持した後、一方の支持部材１０に設けられたスイッチ１３を操作して、加熱部６０，７０への通電により一対の挟持部３０，４０を加熱すると共に、吸引装置５０を作動させる。
【００１９】
一対の支持部材１０，２０を閉じると、第１当接部３５，４５同士、および、第２当接部３６，３７同士が互いに当接し、これらの間に凹部３７，４７の空間が形成される。毛髪Ｈを加熱して発生する蒸気は、吸引装置５０の作動により凹部３７，４７を介して吸引流路３１に引き込まれる。
【００２０】
本実施形態の電熱式ヘアーアイロン１は、毛髪Ｈに蒸気を供給する機構を備えない構成において、吸引流路３１を介して接続された吸引装置５０の作動により一対の挟持部３０，４０間を吸引可能に構成したものであり、外部から供給される蒸気ではなく、毛髪Ｈから発生する蒸気を吸引するという新規な発想に基づいて開発されたものである。この電熱式ヘアーアイロン１によれば、毛髪Ｈから発生する蒸気が一対の挟持部３０，４０の周囲に噴出するのを確実に防止することができるので、毛髪の付け根など頭皮に近いところで使用する場合でも、高温の蒸気が頭皮に噴出するおそれがなく、施術を快適に行うことができる。
【００２１】
また、電熱式ヘアーアイロン１は、第１当接部３５，４５の表面が平面状である一方、第２当接部３６，４６の表面が曲面状であることにより、第１当接部３５，４５同士の当接部の面積よりも狭い面積で第２当接部３６，４６同士が当接するため、毛髪Ｈは、第２当接部３６，４６において、第１当接部３５，４５よりも高い圧力で押圧される。したがって、毛髪Ｈを挟持した一対の挟持部３０，４０を、図６の矢示Ｅ方向にスライドさせることにより、毛髪Ｈの毛根側を第１当接部３５，４５に保持しながら、先端側を第２当接部３６，４６で強くしごくことができるので、毛髪Ｈの捻転を除去することができる。第１当接部３５，４５の表面が平面状に形成された部分の幅Ｗ１に対して、第２当接部３６，４６の表面が曲面状に形成された部分の幅Ｗ２を小さくすることが好ましく、これによって上記の効果をより確実に奏することができる。本実施形態の第２当接部３６，４６は、表面が断面円弧状の曲面状としているが、楕円弧状や波状などの断面形状を有する他の曲面状であってもよい。
【００２２】
以上、本発明の一実施形態について詳述したが、本発明の具体的な態様は上記実施形態に限定されない。例えば、本実施形態においては、一対の挟持部３０，４０間を吸引する吸引流路３１を、一方の挟持部３０のみに設けているが、一対の挟持部３０，４０の双方に吸引流路を設けて、分岐させた配管５１にそれぞれ接続することにより、一対の挟持部３０，４０の双方で蒸気を吸引できるように構成してもよい。
【符号の説明】
【００２３】
１  電熱式ヘアーアイロン
１０，２０  支持部材
３０，４０  挟持部
３５，４５  第１当接部
３６，４６  第２当接部
３１，４１  吸引流路
５０  吸引装置
６０，７０  加熱部
【図１】
2019213793.tif 000003
【図２】
2019213793.tif 000004
【図３】
2019213793.tif 000005
【図４】
2019213793.tif 000006
【図５】
2019213793.tif 000007
【図６】
2019213793.tif 000008